(57)【要約】【課題】体外循環装置等で得られた情報を用いて容易に各種の分析をすることができる分析装置等を提供すること。【解決手段】少なくとも医療装置１０から取得した各種情報を記憶する記憶部１１２と、記憶部に記憶されている各種情報のうち、特定の時間範囲における情報を同時に同一画面で表示すると共に、前記同一画面に特定の時刻を示す時刻特定部Ｓを併せて表示する表示部１０４と、を有し、表示部には、時刻特定部で特定された時刻の各種情報が、特定の時間範囲における情報と共に併せて表示される分析装置１００。【選択図】図１
2019026846.tif 000002
【特許請求の範囲】
【請求項１】
少なくとも医療装置から取得した各種情報を記憶する記憶部と、
前記記憶部に記憶されている各種情報のうち、特定の時間範囲における情報を同時に同一画面で表示すると共に、前記同一画面に特定の時刻を示す時刻特定部を併せて表示する表示部と、を有し、
前記表示部には、前記時刻特定部で特定された時刻の前記各種情報が、前記特定の時間範囲における情報と共に併せて表示されることを特徴とする分析装置。
【請求項２】
前記時刻特定部の画面上の移動及び／又は固定が可能な構成となっていることを特徴とする請求項１に記載の分析装置。
【請求項３】
前記時刻特定部は、当該時刻特定部の時刻に発生したイベント情報と関連付けられていることを特徴とする請求項１又は請求項２に記載の分析装置。
【請求項４】
前記時刻特定部に関連付けて、メモ情報も併せて表示可能な構成となっていることを特徴とする請求項１乃至請求項３のいずれか１項に記載の分析装置。
【請求項５】
前記各種情報は、特別な計算で求める特別情報を含み、前記特別情報を生成するための計算式情報を備えることを特徴とする請求項１乃至請求項４のいずれか１項に記載の分析装置。
【請求項６】
前記計算式情報は、前記記憶部に記憶されている各種情報を計算式に含めることができる構成となっていることを特徴とする請求項５に記載の分析装置。
【請求項７】
前記同一画面で表示する特定の時間範囲を変更可能な構成となっていることを特徴とする請求項１乃至請求項５のいずれか１項に記載の分析装置。
【請求項８】
医療機器を備え、
前記医療機器と通信可能な請求項１乃至請求項７のいずれか１項に記載の分析装置を有することを特徴とする分析システム。
【請求項９】
少なくとも医療装置から取得した各種情報を記憶部に記憶し、
前記記憶部に記憶されている各種情報のうち、特定の時間範囲における情報を同時に同一画面で表示すると共に、前記同一画面に特定の時刻を示す時刻特定部を併せて表示部に表示し、
前記表示部には、前記時刻特定部で特定された時刻の前記各種情報が、前記特定の時間範囲における情報と共に併せて表示されることを特徴とする分析装置の制御方法。
【請求項１０】
分析装置を、少なくとも医療装置から取得した各種情報を記憶する記憶部、
前記記憶部に記憶されている各種情報のうち、特定の時間範囲における情報を同時に同一画面で表示すると共に、前記同一画面に特定の時刻を示す時刻特定部を併せて表示する表示部、として機能させると共に、前記表示部では、前記時刻特定部で特定された時刻の前記各種情報が、前記特定の時間範囲における情報と共に併せて表示されるように機能させるための分析装置の制御プログラム。
【発明の詳細な説明】
【技術分野】
【０００１】
本発明は、例えば、患者等が手術中等に使用する体外循環装置等から得られる情報を分析する分析装置、分析システム、分析装置の制御方法及び分析装置の制御プログラムに関するものである。
【背景技術】
【０００２】
従来から例えば、手術中等において患者に対する血液の供給が必要なとき、患者の血液を体外で循環させるため人工心肺装置等を有する体外循環装置が用いられている。
このような体外循環装置は、流量センサ、圧力センサ、ドライブモータの回転数検出部等を有しているため、これらの値等を管理することで、患者の状態や機器自体の状態を管理することができる構成となっている（例えば、特許文献１）。
また、このような体外循環装置等の流量センサ等の値は、手術後、医師等が薬剤の効果等を研究するためにも使用する必要がある。
【先行技術文献】
【特許文献】
【０００３】
【特許文献１】特開２００６―１２２１１１号公報
【発明の概要】
【発明が解決しようとする課題】
【０００４】
しかし、手術後、体外循環装置等で得られた情報を用いて、各種の分析をするときは、事前に、種類の多い各種の得られたデータ等を準備することが必要であり、かかる準備には多くの労力がかかり、実際上、困難な場合が多いという問題があった。【０００５】
そこで、本発明は、体外循環装置等で得られた情報を用いて容易に各種の分析をすることができる分析装置、分析システム、分析装置の制御方法及び分析装置の制御プログラムを提供することを目的とする。
【課題を解決するための手段】
【０００６】
上記目的は、本発明にあっては、少なくとも医療装置から取得した各種情報を記憶する記憶部と、前記記憶部に記憶されている各種情報のうち、特定の時間範囲における情報を同時に同一画面で表示すると共に、前記同一画面に特定の時刻を示す時刻特定部を併せて表示する表示部と、を有し、前記表示部には、前記時刻特定部で特定された時刻の前記各種情報が、前記特定の時間範囲における情報と共に併せて表示されることを特徴とする分析装置により達成される。【０００７】
前記構成によれば、医療機器からの各種情報は、記憶部に記憶され、この記憶部に記憶されている各種情報を特定の時間範囲（例えば、２４時間）に同一画面で表示するので、医師等にとって各種情報の推移が把握し易い構成となっている。
また、特定の時刻の各種情報の値等も併せて表示され、その特定の時刻は、画面上で示されているので、各時刻の各種情報の値等も全体と共に、同一の画面で把握できる。
したがって、医師等の研究がし易い構成となっている。【０００８】
好ましくは、前記時刻特定部の画面上の移動及び／又は固定が可能な構成となっていることを特徴とする。【０００９】
時刻特定部の画面上の移動及び／又は固定が可能な構成なので、患者の各種情報の任意の時刻に時刻特定部を移動等させることができ、移動先等の時刻の各種情報を画面に表示させることができる。【００１０】
好ましくは、前記時刻特定部は、当該時刻特定部の時刻に発生したイベント情報と関連付けられていることを特徴とする。【００１１】
前記構成によれば、時刻特定部は、当該時刻特定部の時刻に発生したイベント情報（例えば、投薬時刻情報等）と関連付けられているので、医師等は、画面上の時刻特定部を中心に観察することで、投薬等の効果等を容易に把握することができる。【００１２】
好ましくは、前記時刻特定部に関連付けて、メモ情報も併せて表示可能な構成となっていることを特徴とする。【００１３】
前記構成によれば、時刻特定部に関連付けて、メモ情報も併せて表示可能な構成となっているので、医師等が時刻特定部に関するメモを入力すれば、画面上に、当該時刻特定部と関連付けてメモを残すことができる。【００１４】
好ましくは、前記各種情報は、特別な計算で求める特別情報を含み、前記特別情報を生成するための計算式情報を備えることを特徴とする。【００１５】
前記構成によれば、各種情報は、特別な計算で求める特別情報（例えば、酸素運搬量等）を含み、特別情報を生成するための計算式情報を備えているので、医師等が必要な情報を画面に表示できるように、入力等することができ、使い勝手の良い装置となっている。  【００１６】
好ましくは、前記計算式情報は、前記記憶部に記憶されている各種情報を計算式に含めることができる構成となっていることを特徴とする。【００１７】
前記構成によれば、記憶部に記憶されている各種情報を計算式に含めることができるので、記憶部に記憶されている情報を利用した計算式を容易に生成でき、かかる計算式で求められる特別情報も容易に画面上に表示させることができる。【００１８】
好ましくは、前記同一画面で表示する特定の時間範囲を変更可能な構成となっていることを特徴とする。【００１９】
前記構成によれば、同一画面で表示する特定の時間範囲（例えば、２４時間から１２時間等）を変更可能となっているため、患者の必要な時間範囲のデータを適切に表示することができる。【００２０】
好ましくは、医療機器を備え、前記医療機器と通信可能な分析装置を有することを特徴とする分析システムであることを特徴とする。【００２１】
上記目的は、本発明にあっては、少なくとも医療装置から取得した各種情報を記憶部に記憶し、前記記憶部に記憶されている各種情報のうち、特定の時間範囲における情報を同時に同一画面で表示すると共に、前記同一画面に特定の時刻を示す時刻特定部を併せて表示部に表示し、前記表示部には、前記時刻特定部で特定された時刻の前記各種情報が、前記特定の時間範囲における情報と共に併せて表示されることを特徴とする分析装置の制御方法により達成される。【００２２】
上記目的は、本発明にあっては、分析装置を、少なくとも医療装置から取得した各種情報を記憶する記憶部、前記記憶部に記憶されている各種情報のうち、特定の時間範囲における情報を同時に同一画面で表示すると共に、前記同一画面に特定の時刻を示す時刻特定部を併せて表示する表示部、として機能させると共に、前記表示部では、前記時刻特定部で特定された時刻の前記各種情報が、前記特定の時間範囲における情報と共に併せて表示されるように機能させるための分析装置の制御プログラムにより達成される。
【発明の効果】
【００２３】
以上説明したように、本発明によれば、体外循環装置等で得られた情報を用いて容易に各種の分析をすることができる分析装置、分析システム、分析装置の制御方法及び分析装置の制御プログラムを提供することができるという利点がある。
【図面の簡単な説明】
【００２４】
【図１】本発明の分析装置である例えば、データ分析用ＰＣ、データ蓄積ＰＣ、そして医療機器である例えば、体外循環装置等を含む体外循環システムの主な構成を示す概略図である。
【図２】図１の「データ分析用ＰＣ」、「コントローラ」、「データ蓄積ＰＣ」等の主な構成を示す概略ブロック図である。
【図３】第１の各種情報記憶部の主な構成を示す概略ブロック図である。
【図４】第２の各種情報記憶部の主な構成を示す概略ブロック図である。
【図５】第３の各種情報記憶部の主な構成を示す概略ブロック図である。
【図６】第４の各種情報記憶部の主な構成を示す概略ブロック図である。
【図７】本実施の形態にかかる体外循環システムの主な動作例を示す概略フローチャートである。
【図８】基本画面表示を示すフローチャートである。
【図９】時間軸（表示する時間範囲）を変更する工程を示す概略フローチャートである。
【図１０】図１６のイベント表示軸を時間に流れに沿って移動する場合や固定する場合等の動作例を示す概略フローチャートである。
【図１１】画面上に表示されている流量等のデータ数を減少等させる動作例を示す概略フローチャートである。
【図１２】イベント表示軸の位置を薬剤投与の時刻等とする場合の動作例を示す概略フローチャートである。
【図１３】イベント表示軸Ｓに関連して「メモ」を表示させる工程を示す概略フローチャートである。
【図１４】各種データを計算等して求める計算後データを画面に表示させる主な工程を示す概略フローチャートである。
【図１５】データの閾値等を画面上で確認する工程を示す概略フローチャートである。
【図１６】バイタルデータ等の各種の情報が、図１のデータ分析用ＰＣのディスプレイに表示された状態を示す概略説明図である。
【図１７】イベント表示軸内容選択用画面の一例を示す概略図である。
【図１８】画面に表示された「計算式」を示す概略図である。
【図１９】閾値情報が表示された画面例を示す概略図である。
【発明を実施するための形態】
【００２５】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２６】
（図１の体外循環システムの説明について）
図１は，本発明の分析装置である例えば、データ分析用ＰＣ１００、データ蓄積ＰＣ２、そして医療機器である例えば、体外循環装置ＩＲ等を含む体外循環システム１の主な構成を示す概略図である。
図１に示す体外循環装置ＩＲ等は、図１に示すように、患者Ｐの血液の体外循環を行う装置であるが、この「体外循環」には「体外循環動作」と「補助循環動作」が含まれる。
「体外循環動作」は、体外循環装置ＩＲ等の適用対象である患者（被術者）Ｐの心臓に血液が循環しないため患者Ｐの体内でガス交換ができない場合に、この体外循環装置ＩＲ等により、血液の循環動作と、この血液に対するガス交換動作（酸素付加及び／又は二酸化炭素除去）を行うことである。
【００２７】
また、「補助循環動作」とは、体外循環装置ＩＲ等の適用対象である患者（被術者）Ｐの心臓に血液が循環し、患者Ｐの肺でガス交換を行える場合で、体外循環装置ＩＲ等によっても血液の循環動作の補助を行うことである。装置によっては血液に対するガス交換動作を行う機能を持つものもある。
【００２８】
ところで、本実施の形態に係る図１に示す体外循環装置ＩＲ等は、例えば患者Ｐの心臓外科手術を行う場合やその後のＩＣＵ（Ｉｎｔｅｎｓｉｖｅ  Ｃａｒｅ  Ｕｎｉｔ、集中治療室）における治療等で用いられる。
具体的には、体外循環装置ＩＲ等の「遠心ポンプ３」を作動させ、患者Ｐの静脈（大静脈）から脱血して、人工肺４により血液中のガス交換を行って血液の酸素化を行った後に、この血液を再び患者Ｐの動脈（大動脈）に戻す「人工肺体外血液循環」を行う。すなわち、体外循環装置ＩＲ等は、心臓と肺の代行を行う装置となる。
【００２９】
また、体外循環装置ＩＲ等は、以下のような構成となっている。
すなわち、図１に示すように、体外循環装置ＩＲ等は、血液を循環させる「循環回路１Ｒ」を有し、循環回路１Ｒは、「人工肺４」、「遠心ポンプ３」、「モータ５」、「静脈側カニューレ（脱血側カニューレ）６」と、「動脈側カニューレ（送血側カニューレ）７」と、体外循環装置ＩＲ等を管理する例えば、コントローラ３を有している。
なお、遠心ポンプ３は、血液ポンプとも称し、遠心式以外のポンプも利用できる。
【００３０】
そして、図１の静脈側カニューレ（脱血側カニューレ）６は、大腿静脈より挿入され、静脈側カニューレ６の先端が右心房に留置される。
動脈側カニューレ（送血側カニューレ）７は、大腿動脈より挿入される。静脈側カニューレ６は、脱血チューブ８を用いて遠心ポンプ３に接続されている。
また、脱血チューブ８には、脱血チューブ８内の血液の圧力を測定する圧力センサ９が配置されている。
この圧力センサ９はコントローラ１６と通信可能に接続され、圧力センサ９の値はコントローラ１６へ送信される構成となっている。
【００３１】
モータ５は、コントローラ１６と通信可能に接続されており、コントローラ１６からの指令により遠心ポンプ３を操作させると、遠心ポンプ３は、脱血チューブ８から脱血して人工肺４に通した血液を、送血チューブ１０を介して患者Ｐに戻す構成となっている。
【００３２】
人工肺４は、遠心ポンプ３と送血チューブ１０の間に配置されている。
人工肺４は、この血液に対するガス交換動作（酸素付加及び／又は二酸化炭素除去）を行う。人工肺４は、例えば、膜型人工肺であるが、特に好ましくは中空糸膜型人工肺を用いる。送血チューブ１０は、人工肺４と動脈側カテーテル７を接続している管路である。
【００３３】
また、送血チューブ１０には、流量センサ１１が配置され、流量センサ１１は、コントローラ１６と通信可能に接続されている。
したがって、流量センサ１１は、患者Ｐから脱血チューブ８を介して流れてくる血液の流量の値を検知し、その値をコントローラ１６へ送信する構成となっている。
また、送血チューブ１０には、送血チューブ１０内の血液の温度を測定する温度センサ１５が配置されている。
この温度センサ１５はコントローラ１６と通信可能に接続され、温度センサ１５の値はコントローラ１６へ送信される構成となっている。
【００３４】
脱血チューブ８と送血チューブ１０は、例えば、塩化ビニル樹脂やシリコーンゴム等の透明性が高く、可撓性を有する合成樹脂製の管路が使用できる。
脱血チューブ８内では、血液は図１のＶ方向に流れ、送血チューブ１０内では、血液は図１のＷ方向に流れる。
【００３５】
また、本実施の形態の体外循環システム１には、図１に示すように、送血チューブ１０に、血液ガスモニタのセンサ１２ａが配置され、この血液ガスモニタのセンサ１２ａは、図１に示すように、血液ガスモニタ１２に接続されている。
このように、送血チューブ１０内の血液ガスのデータは、血液ガスモニタ１２に表示される構成となっている。
【００３６】
一方、図１に示すように、患者Ｐには、飽和酸素計測センサ１３ａが装着され、飽和酸素のデータが図１の酸素飽和度モニタ１３に表示される構成となっている。
また、本実施の形態の体外循環システム１は、データ蓄積ＰＣ２を有し、このデータ蓄積ＰＣ２が、コントローラ１６，血液ガスモニタ１２及び酸素飽和度モニタ１３等と通信可能に接続されている。
【００３７】
さらに、図１に示すように患者Ｐには、薬液等を投与するための輸液ポンプ１４が留置針等を介して配置され、この輸液ポンプ１４には、薬液バッグ１４ａが接続されている。
そして、この輸液ポンプ１４は、図１等に示すように、データ蓄積ＰＣ２に接続されている。
【００３８】
このため、データ蓄積ＰＣ２は、酸素飽和度、血液ガスのデータのみならず、コントローラ１６が取得する流量、圧力等のデータも取得し、蓄積する構成となっている。
さらに、データ蓄積ＰＣ２は、図１の輸液ポンプ１４の薬液投与のデータも取得する構成となっている。
【００３９】
ところで、体外循環システム１は、データ蓄積ＰＣ２が蓄積したデータを分析する「データ分析用ＰＣ１００」が、データ蓄積ＰＣ２と接続されている。
【００４０】
本実施の形態では、分析装置として例えば、データ分析用ＰＣ１００を例に以下、説明するが、本発明はこれに限らず、データ分析用ＰＣ１００がデータ蓄積ＰＣ２を兼ねる構成となっていても構わない。
【００４１】
また，本実施の形態では、データ蓄積ＰＣ２に蓄えられたデータが有線又は無線のＬＡＮ等でデータ分析用ＰＣ１００へ送信される場合のみならず、ＵＳＢ等の媒体を介して、データがデータ分析用ＰＣ１００へ移行されても構わない。
【００４２】
図１に示す体外循環システム１のデータ分析用ＰＣ１００、データ蓄積用ＰＣ２及びコントローラ１６等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００４３】
（図２等のブロック図について）
図２は、図１の「データ分析用ＰＣ１００」、「コントローラ１６」、「データ蓄積ＰＣ２」等の主な構成を示す概略ブロック図である。
図２に示すように、データ分析用ＰＣ１００は、「分析用ＰＣ制御部１０１」を有し、分析用ＰＣ制御部１０１は、データ分析用ＰＣ１００が、データ蓄積ＰＣ２等と通信するための「通信装置１０２」、時刻情報を生成する「計時装置１０３」、各種情報を表示する「表示部」である例えば、「ディスプレイ１０４」及び「各種情報入力装置（キーボード等）１０５」等を制御する。
【００４４】
また、図２のコントローラ１６は、図１に示すモータ５，流量センサ１１、圧力センサ９及び温度センサ１５と接続されている。
一方、酸素飽和度モニタ１３、血液ガスモニタ１２及び輸液ポンプ１４は、コントローラ３を介することなく、データ蓄積ＰＣ２に直接、接続されている。
【００４５】
そして、分析用ＰＣ制御部１０１は、図２に示す「第１の各種情報記憶部１１０」、「第２の各種情報記憶部１２０」、「第３の各種情報記憶部１３０」及び「第４の各種情報記憶部１４０」も制御する。
【００４６】
図３乃至図６は、それぞれ「第１の各種情報記憶部１１０」、「第２の各種情報記憶部１２０」、「第３の各種情報記憶部１３０」及び「第４の各種情報記憶部１４０」の主な構成を示す概略ブロック図である。これらの具体的な内容は後述する。
【００４７】
（体外循環システム１の動作例について）
図７乃至図１５は、本実施の形態にかかる体外循環システム１の主な動作例を示す概略フローチャートである。
すなわち、本実施の形態では、図１に示す体外循環システム１により、患者Ｐ等の手術等において得られた各種の情報が「データ蓄積ＰＣ２」を介して「データ分析用ＰＣ１００」に記憶される。
そして、このように蓄積された各種の情報に基づいて、手術後、医師等が研究等を行い易いように、各種の情報等が、データ分析用ＰＣ１００のディスプレイ１０４に表示される構成となっている。
【００４８】
そこで、以下、データ分析用ＰＣ１００のディスプレイ１０４に表示される主な各種情報の表示例を説明するが、その前に、図７を用いてデータ分析用ＰＣ１００に記憶される各種情報の取得工程を説明する。
【００４９】
（患者Ｐ等の手術中等に記憶等する各種情報の取得工程等について）
図７のステップ（以下「ＳＴ」とする。）１に示すように、図１の体外循環システム１では、例えば、患者Ｐの手術中に、「モータ５」「流量センサ１１」「圧力センサ９」「温度センサ１５」「酸素飽和度モニタ１３」及び「血液ガスモニタ１２」等から「回転数」「流量」「温度」「圧力」等のバイタルデータ等の各種情報を取得する。
そして、それぞれの情報を対応する「時刻情報」と関連付けて、「回転数情報記憶部１１１」、「流量情報記憶部１１２」、「温度情報記憶部１１３」及び「圧力情報記憶部１１４」等に記憶する。
【００５０】
具体的には、例えば、以下の各種情報を記憶する。
●「モータ５」から「回転数(Arterial)情報」を取得し、「計時装置１０３」から対応する時刻情報を取得し、関連付けて、図３の「回転数情報記憶部１１１」に記憶。
●「流量センサ１１」から「流量(Flow)情報」を取得し、「計時装置１０３」から対応する時刻情報を取得し、関連付けて、図３の「流量情報記憶部１１２」に記憶。
●「温度センサ１５」から「温度(Temp)情報」を取得し、「計時装置１０３」から対応する時刻情報を取得し、関連付けて、図３の「温度情報記憶部１１３」に記憶。
●「圧力センサ９」から「圧力(Press)情報」を取得し、「計時装置１０３」から対応する時刻情報を取得し、関連付けて、図３の「圧力情報記憶部１１４」に記憶。
●「酸素飽和度モニタ１３」から「局所組織酸素飽和度(rSO2)情報」を取得し、「計時装置１０３」から対応時刻を取得し、関連付けて、図３の「局所組織酸素飽和度情報記憶部１１５」に記憶。
【００５１】
●「酸素飽和度モニタ１３」から「経皮的動脈血酸素飽和度(SpO2)情報」を取得し、「計時装置１０３」から対応する時刻情報を取得し、関連付けて、図３の「経皮的動脈血酸素飽和度情報記憶部１１６」に記憶。
●「酸素飽和度モニタ１３」から「脈拍数情報」を取得し、「計時装置１０３」から対応する時刻情報を取得し、関連付けて、図３の「脈拍数情報記憶部１１７」に記憶。
●「血液ガスモニタ１２」から「ｐＨ情報」を記憶し、「計時装置１０３」から対応する時刻情報を取得し、関連付けて、図３の「ｐＨ情報記憶部１１８」に記憶。
●「血液ガスモニタ１２」から「炭酸ガス分圧(PCO2)情報」を取得し、「計時装置１０３」から対応する時刻情報を取得し、関連付けて、図３の「炭酸ガス分圧情報記憶部１１９」に記憶。
●「血液ガスモニタ１２」から「酸素分圧(PO2)情報」を取得し、「計時装置１０３」から対応する時刻情報を取得し、関連付けて、図３の「酸素分圧情報記憶部２２５」に記憶。
●「血液ガスモニタ１２」から「酸素飽和度(SO2)情報」を取得し、「計時装置１０３」から対応する時刻情報を取得し、関連付けて、図３の「酸素飽和度情報情報億部２２１」に記憶。
【００５２】
●「血液ガスモニタ１２」から「ヘマトクリット(HCT)情報」を取得し、「計時装置１０３」から対応する時刻情報を取得し、関連付けて、図３の「ヘマトクリット情報記憶部２２２」に記憶。
●「血液ガスモニタ１２」から「ヘモグロビン(Hgb)情報」を取得し、「計時装置１０３」から対応する時刻情報を取得し、関連付けて、図３の「ヘモグロビン情報記憶部２２３」に記憶。
●「血液ガスモニタ１２」から「重炭酸イオン(HCO3)情報」を取得し、「計時装置１０３」から対応する時刻情報を取得し、関連付けて、図４の「重炭酸イオン情報情報億部１２１」に記憶。
●「血液ガスモニタ１２」から「酸素消費量情報」を取得し、「計時装置１０３」から対応する時刻情報を取得し、関連付けて、図４の「酸素消費量情報記憶部１２２」に記憶。
●「血液ガスモニタ１２」から「カリウム値(K+)情報」を取得し、「計時装置１０３」から対応する時刻情報を取得し、関連付けて、図４の「カリウム値情報記憶部１２３」に記憶。
【００５３】
●「血液ガスモニタ１２」から「ベースエクセス値(BE)情報」を取得し、「計時装置１０３」から対応する時刻情報を取得し、関連付けて、図４の「ベースエクセス値情報記憶部１２４」に記憶。
●「輸液ポンプ１４」から「投薬注入情報」を取得し、「計時装置１０３」から対応する時刻情報を取得し、関連付けて、図４の「投薬注入情報記憶部１２５」に記憶。
●「人工肺４」から「人工肺交換情報」を取得し、「計時装置１０３」から対応する時刻情報を取得し、関連付けて、図４の「人工肺交換情報記憶部１２６」に記憶。
【００５４】
尚、上記した各種情報を記憶する際、併せてイベント情報（例えば、投薬時刻情報等）を関連付けて記憶させることができる。
【００５５】
また、データ分析用ＰＣ１００は，予め患者Ｐの体表面積情報を取得し、図４の「体表面積情報記憶部１２７」に記憶させる。
【００５６】
次いで、図７のＳＴ２へ進み、上述の取得した情報に基づいて計算により求める情報を取得する。
具体的には、図４の「インデックス情報生成処理部（プログラム）１２８」が動作し、図３の「流量情報記憶部１１２」の「流量情報」と、図４の「体表面積情報記憶部１２７」の体表面積情報に基づいて、「カーディアンインデックス情報」を生成し、関連する時刻情報と共に、図４の「カーディアンインデックス情報記憶部１２９」に記憶させる。
【００５７】
以上で、必要な情報の取得及び生成という準備段階が終了する。
そして、医師等の研究者等は、かかる情報を図１の「データ分析用ＰＣ１００」に表示させて、各種の研究を行う。
本実施の形態では、研究に適した情報の表示が研究者等である操作者の操作で可能な構成となっている。
以下、具体的に説明する。
【００５８】
（同じ時間帯で各種情報を表示）
図８は、基本画面表示を示すフローチャートである。
同フローチャートで示すように、図１のデータ分析用ＰＣ１００のディスプレイ１０４に以下の情報が表示される。
具体的には、図８のＳＴ１１のフローチャートで示すように、図５の「基本画面表示処理部（プログラム）１３１」が動作し、上述の各記憶部に記憶されているバイタルデータ等の各種情報に基づき、前回設定した時間軸である例えば、２４時間（２０１７年５月３１日  ８時から６月１日  ８時までの２４時間）のバイタルデータ等を表示する。
この２４時間が所定の時間範囲の一例となっている。
【００５９】
また、同時に、画面上に、時刻特定部である例えば、イベント表示軸Ｓを任意の時刻（例えば、中間の時刻）に表示する。
更に、イベント表示軸Ｓの時刻における各種記憶部の各データも画面に表示される。
【００６０】
図１６は、バイタルデータ等の各種の情報が、図１のデータ分析用ＰＣ１００のディスプレイ１０４に表示された状態を示す概略説明図である。
図１６に示すように、画面の右下には時間軸として２４時間が指定されているため、画面の中央の左から右に時間の流れに従って、データ分析用ＰＣ１００が取得した情報、図１６の場合は、温度情報（Ｔｅｍｐ）、モータ５の回転数（Ａｒｔｅｒｉａｌ）情報、圧力（Ｐｒｅｓｓ）の情報等が表示されている。
そして、中央に縦長の軸状のイベント表示軸Ｓが表示されている。そして、このイベント表示軸Ｓが配置された時刻に対応する情報が画面の上部の枠内及び下部の枠内等に表示される。例えば、図１６の場合の時刻は、「５／３１  ２０：３３：０４」である。
【００６１】
例えば、図１６の画面の上部の左端の枠は「流量（Ｆｌｏｗ）であり、イベント表示軸Ｓの時刻「５／３１  ２０：３３：０４」における数値が表示されている。
同様に、「流量」の右隣には「モータの回転数（Ａｒｔｅｒｉａｌ）」の数値が表示されている。
【００６２】
また、下部の左端の枠には「ｐＨ」の値が表示され、この値はイベント表示軸Ｓの時刻「５／３１  ２０：３３：０４」における数値である。
【００６３】
したがって、研究者等は、ディスプレイ１０４を視認することで、各情報の例えば、２４時間における変化のみならず、イベント表示軸Ｓで示す時刻の各情報も同時に把握することができるため、研究ツールとして、極めて使い易いものとなる。
【００６４】
（時間軸（例えば、２４時間）を変更する場合）
ここで、研究者等が、図１６の画面の時間軸（例えば、２４時間）ではデータ量が多すぎるため例えば、１２時間や１時間、若しくは２０分等に変更する場合について、以下説明する。
図９は、時間軸（表示する時間範囲）を変更する工程を示す概略フローチャートである。
【００６５】
図９のＳＴ２１で、研究者が時間軸（表示する時間範囲）変更信号を入力すると、ＳＴ２２で、図５の「時間軸変更入力処理部（プログラム）１３２」が動作し、画面に「時間軸変更入力画面」を表示させる。
次いで、ＳＴ２３で、「時間軸変更情報」が入力されたか否かが判断される。
ここで、例えば、研究者が、「２０１７年５月３１日の８時から２０時」までの「１２時間」と入力すると、ＳＴ２４へ進む。
【００６６】
ＳＴ２４では、同処理部（プログラム）１３２が動作し、表示データの時間軸を「２０１７年５月３１日の８時から２０時」の１２時間として、対応するデータを上述の各記憶部から抽出して、表示する。
なお、この時間は自由に選択でき、１０分等とすることもできる。
【００６７】
（イベント表示軸Ｓを移動又は固定等する場合）
図１０は、図１６のイベント表示軸Ｓを時間に流れに沿って移動する場合や固定する場合等の動作例を示す概略フローチャートである。
以下、研究者がイベント表示軸の移動を希望する場合の動作について、図１０を用いて説明する。
【００６８】
先ず、図１０のＳＴ３１で、図５の「イベント表示軸動作処理部（プログラム）１３３」が動作し、イベント表示軸Ｓの移動指示又は固定指示が入力されたか否かを判断する。
具体的には、図１６の画面上で、イベント表示軸Ｓを移動させるための「ワンクリック」の入力があったか否かを判断する。
「ワンクリック」された場合はイベント表示軸Ｓを移動可能な「移動モード」の状態とする。
【００６９】
次いで、ＳＴ３２で移動指示の入力があったときは、ＳＴ３３へ進む。具体的には、ＳＴ３３では、図１６のイベント表示軸Ｓが画面上のポイント操作等で移動されたか否かを判断する。
ＳＴ３４で、イベント表示軸Ｓの移動があったと判断されたときは、ＳＴ３５へ進む。
ＳＴ３５では、移動先の時刻に対応する情報の値、例えば、流量等の数値等を表示する。
【００７０】
一方、ＳＴ３２で、移動指示が入力されてないと判断されたときは、ＳＴ３６へ進む。
ＳＴ３６では、イベント表示軸Ｓに固定入力指示があったか否かを判断する。
具体的には、イベント表示軸Ｓ上に、「ワンクリック」入力があったか否かを判断する。
次いで、ＳＴ３７で、固定指示の入力がされたときは、ＳＴ３８でイベント表示軸Ｓの移動を不可とする。
【００７１】
このように、本実施の形態では、研究者が画面上のイベント表示軸Ｓに移動指示等の入力を行うことで、画面上の時間の流れに沿った任意の位置にイベント表示軸Ｓを移動させることができる。そして、この移動先の時刻における各種情報の値を、図１６の上部や下部の枠内に変更表示することができる。
【００７２】
したがって、研究者は、自己が調べたい時刻の各種情報（流量等）の値等を、イベント表示軸Ｓを操作移動するだけで、迅速に画面上に表示させることができる。
【００７３】
（画面上に表示されているデータ数を減少等させる場合）
図１１は、画面上に表示されている流量等のデータ数を減少等させる動作例を示す概略フローチャートである。
研究者等が、画面上に表示されているデータ数（流量等）を例えば、減少表示させたいときは、先ず、図１１のＳＴ４１に示すように、研究者がデータ選択画面に信号を入力すると、図５の「表示情報選択処理部（プログラム）１３４」が動作し、「表示データの選択」が終了したか否かを判断する。
【００７４】
ここで、研究者は、必要なデータの選択を実行する。
次いで、ＳＴ４２で、選択が終了したと判断されると、ＳＴ４３へ進み、選択されたデータ（流量等）のみを画面上に表示させることができる。
このように、本実施の形態では、研究者は、必要な種類のデータ（流量等）のみを表示させることができる。
【００７５】
（イベント表示軸Ｓの表示内容を変更する場合）
研究者（操作者）が、イベント情報である例えば、ある薬剤の投与の前後におけるデータ（流量等）の変化を研究したい場合は、既に記憶されたイベント情報を利用する他に、以下のようにイベント表示軸Ｓの位置を薬剤投与の時刻と関連付ける操作を行うことも可能である。
【００７６】
図１２は、イベント表示軸Ｓの位置を薬剤投与の時刻等とする場合の動作例を示す概略フローチャートである。
先ず、図１２のＳＴ５１に示すように、研究者が、イベント表示軸Ｓの内容の選択用画面の表示入力をすると、図５の「イベント表示軸内容選択処理部（プログラム）１３５」が動作し、イベント表示軸内容選択用画面が画面上に、別のウインドウとして表示される。
【００７７】
図１７は、イベント表示軸内容選択用画面の一例を示す概略図である。
このイベント表示軸内容選択用画面には、手術中のイベント、例えば、投薬時刻、人工肺交換時刻等のデータが表示される。
また、このデータは、図４の「投薬注入情報記憶部１２５」や「人工肺交換情報記憶部１２６」から、現在の表示画面の時間軸の範囲に対応するデータが抽出され、表示されたデータである。
【００７８】
次いで、例えば、研究者は、図１７の２０１７年５月３１日  ２０時４２分３０秒の投薬（薬ＡＡＡ）を選択する。
この例では、研究者が、薬ＡＡＡの投薬前後におけるデータ（流量等）の変化を研究するために選択する。
【００７９】
すると、図１２のＳＴ３２で、イベント表示軸Ｓの内容データを選択したと判断され、ＳＴ５３で、同処理部（プログラム）１３５が動作し、イベント表示軸Ｓが、２０１７年５月３１日２０時４２分３０秒に合わせて画面上に表示される。
【００８０】
図１６のイベント表示軸Ｓは、２０１７年５月３１日２０時４２分３０秒に合わせて画面上に表示された状態を示している。
したがって、研究者は、図１６のイベント表示軸Ｓの前後を観察することで、薬ＡＡＡの投薬前後におけるデータ（流量等）の変化、すなわち、投薬等の効果等を容易に把握することができる。
【００８１】
なお，本実施の形態では、イベント表示軸Ｓとして「薬剤の投与時刻」を選択したが、本発明はこれに限らず、他の人工肺交換等のイベントを選択することもできる。
【００８２】
（イベント表示軸Ｓに関連して「メモ」を表示させる場合）
図１３は、イベント表示軸Ｓに関連して「メモ」を表示させる工程を示す概略フローチャートである。
先ず、研究者が、イベント表示軸Ｓに関連して「メモ」を画面に表示させたい場合、例えば、研究者が、薬ＡＡＡの投薬前後のデータの変化についてメモを表示させたいときは、先ず、図１３のＳＴ６１で、「メモ入力画面」を表示させる。
【００８３】
具体的には、図６の「メモ入力処理部（プログラム）１４１」が動作し、「メモ入力画面」が表示される。
ここで、研究者は、例えば、「投薬、薬ＡＡＡ」等のメモを「メモ入力画面」入力する。
次いで、ＳＴ６２へ進み、メモ入力が完了したか否かを判断する。
【００８４】
ＳＴ６２で、メモ入力が完了したときは、ＳＴ６３へ進む。ＳＴ６３では、当該時刻のイベント表示軸Ｓとの関連つけて「メモ情報」を図６の「メモ情報記憶部１４２」に記憶し、画面上に当該イベント表示軸Ｓと関連付けて表示する。
図１６のＭで示した吹き出しが、表示された「メモ情報」となる。
このように。画面上に、イベント表示軸Ｓと関連して「メモ情報」を表示することにより、研究者にとって使い易いツールとなる。
【００８５】
（各種データを計算等して求める計算後データを画面に表示させたい場合）
図１４は、各種データを計算等して求める計算後データを画面に表示させる主な工程を示す概略フローチャートである。
先ず、研究者が、流量等の各種データを計算等して求める特別情報である例えば、計算後データ、例えば、酸素運搬量等をデータとして画面に表示させたい場合は、図１４のＳＴ７１へ進む。
ＳＴ７１では、研究者が計算式の表示を求めると、図６の「計算式入力計算処理部（プログラム）１４３」が動作し、計算式入力画面が表示される。
【００８６】
図１８は、画面に表示された「計算式」を示す概略図である。
図１８に示すように、計算式入力画面には、式の一部として利用可能な、各データ名（流量（Ｆｌｏｗ）等の項目名）と計算用テンキー等が表示されている。
そして、これら各データ名とテンキーを用いて、計算式を作成することができる構成となっている。
【００８７】
この各データ名（流量等）の項目を式に取り込むと、当該データ名の部分には、対応する記憶部、例えば、流量情報記憶部１１２等から必要なデータを抽出して、計算を行う構成となっている。
【００８８】
本実施の形態では、例えば、研究者は、酸素運搬量を画面に表示させたい希望があるため、図１８の数式の部分に以下の式を入力する。
「（（１．３６×ＳＯ２×Ｈｇｂ）＋（０．００３１×ＰＯ２））×Ｆｌｏｗ」
このうち「ＳＯ２」「Ｈｇｂ」「ＰＯ２」「Ｆｌｏｗ」の部分は、図１８で予め用意されている同じ名称のキーを選択して、入力する。数字は、図１８のテンキーを用いて入力する。
【００８９】
このように入力することで「ＳＯ２」は、図３の「酸素飽和度情報記憶部２２１」からデータを抽出して，計算を行うこととなる。
同様に、「Ｈｇｂ」は、図３の「ヘモグロビン情報記憶部２２３」、「ＰＯ２」は、図３の「酸素分圧情報記憶部２２５」、そして「Ｆｌｏｗ」は、図３の「流量情報記憶部１１２」からデータを抽出して計算を行う。
【００９０】
したがって、本実施の形態では，計算式を特別な画面で入力することで、実際に体外循環装置１０から取得した流量等のデータの値を用いて、酸素運搬量等の値を求めることができるので、研究者にとって極めて使い易い装置となっている。
【００９１】
また、本実施の形態では、酸素運搬量を例に計算式を説明したが、他に「差圧」の場合は、「Ｐｒｅｓｓ２−Ｐｒｅｓｓ１」の式を入力することで、求めることができる。
【００９２】
次いで、ＳＴ７２へ進み、計算式の入力があったか否かを判断し、計算式の入力があったときは、ＳＴ７３へ進む。
ＳＴ７３では、入力された計算式、本実施の形態の場合は、酸素運搬量の式「（（１．３６×ＳＯ２×Ｈｇｂ）＋（０．００３１×ＰＯ２））×Ｆｌｏｗ」を図６の「計算式データ記憶部１４４」に記憶する。
【００９３】
次いで、ＳＴ７４へ進む。ＳＴ７４では、同計算処理部（プログラム）１４３が動作し、「計算式データ記憶部１４４」の計算式のデータ名に、各記憶部のデータ、本実施の形態では、図３の「酸素飽和度情報記憶部２２１」、「ヘモグロビン情報記憶部２２３」、「酸素分圧情報記憶部２２５」、そして「流量情報記憶部１１２」のデータを代入し、計算し、その結果を図６の「計算後データ記憶部１４５」に記憶する。
【００９４】
次いで、ＳＴ７５へ進む。ＳＴ７５では、図６の「計算後データ記憶部１４５」の計算後データ、例えば、酸素運搬量を、対応する時刻情報に基づいて、画面上に表示する。
例えば、図１６の上部の枠のうち右端の枠内に示すように、「ＤＯ２」（酸素運搬量）の数値が表示される。
【００９５】
このように、本実施の形態では、研究者は、研究の際に必要なデータを自己で計算せずに、画面上に表示させ、これを迅速に他のデータと比較することができる。
このため、研究者は、その研究に必要なデータを計算式で生成し、かつ、そのデータを画面上に表示させることができるので、極めて使い易い装置となる。
【００９６】
（データの閾値等を画面上で確認する場合）
図１５は、データの閾値等を画面上で確認する工程を示す概略フローチャートである。
研究者が、有るデータの推移を観察しているときに、当該データ、例えば、流量等の閾値を確認したい場合がある。
その場合、先ず、図１５のＳＴ８１で、研究者から閾値表示希望の入力があると、図６の「閾値表示希望表示処理部（プログラム）１４６」が動作し、閾値表示希望データ入力画面を表示する。
【００９７】
ここで、本実施の形態では、研修者は、例えば、「流量（Ｆｌｏｗ）」と入力する。
すると、ＳＴ８２に進み、同処理部（プログラム）１４６が、「閾値表示希望データ」の入力があったと判断し、ＳＴ８３で、入力されたデータ名を「閾値表示希望情報記憶部１４７」に記憶させる。
【００９８】
次いで、ＳＴ８４では、同処理部（プログラム）１４６が動作し、図６の「閾値表示希望情報記憶部１４７」の閾値表示希望情報、例えば、「流量(Ｆｌｏｗ)」に基づき、該当データの閾値範囲を画面に表示する。
【００９９】
図１９は、閾値情報が表示された画面例を示す概略図である。図１９では、流量（Ｆｌｏｗ）の閾値の数値範囲は、斜線で示されている。
このように本実施の形態では、研修者は、特定の流量データ等の許容範囲である閾値範囲が画面に示されるので、当該データ、例えば、流量と許容範囲との相関関係を容易に把握することができる。
【０１００】
以上のように、本実施の形態にかかる体外循環システム１を利用することで研究者は、円滑に体外循環装置ＩＲ等や他の機器等から各種情報を取得できると共に、効率良く、取得した情報をディスプレイに表示させ、研究等を行うことができる。
【０１０１】
なお、本発明おいて、上述の実施の形態に限定されることはない。
【符号の説明】
【０１０２】
１・・・体外循環システム、２・・・データ蓄積ＰＣ、３・・・遠心ポンプ、４・・・人工肺、５・・・モータ、６・・・静脈側カニューレ、７・・・動脈側カニューレ、８・・・脱血チューブ、９・・・圧力センサ、１０・・・送血チューブ、１１・・・流量センサ、１２・・・血液ガスモニタ、１２ａ・・・血液ガスモニタのセンサ、１３・・・酸素飽和度モニタ、１３ａ・・・飽和酸素計測センサ、１４・・・輸液ポンプ、１４ａ・・・薬液バッグ、１５・・・温度センサ、１６・・・コントローラ、１００・・・データ分析用ＰＣ、１０１・・・分析用ＰＣ制御部、１０２・・・通信装置、１０３・・・計時装置、１０４・・・ディスプレイ、１０５・・・各種情報入力装置（キーボード等）、１１０・・・第１の各種情報記憶部、１１１・・・回転数情報記憶部、１１２・・・流量情報記憶部、１１３・・・温度情報記憶部、１１４・・・圧力情報記憶部、１１５・・・局所組織酸素飽和度情報記憶部、１１６・・・経皮的動脈血酸素飽和度情報記憶部、１１７・・・脈拍数情報記憶部、１１８・・・ｐＨ情報記憶部、１１９・・・炭酸ガス分圧情報記憶部、１２０・・・第２の各種情報記憶部、１２１・・・重炭酸イオン情報情報億部、１２２・・・酸素消費量情報記憶部、１２３・・カリウム値情報記憶部、１２４・・・ベースエクセス値情報記憶部、１２５・・・投薬注入情報記憶部、１２６・・・人工肺交換情報記憶部、１２７・・・体表面積情報記憶部、１２８・・・インデックス情報生成処理部（プログラム）、１２９・・・カーディアンインデックス情報記憶部、１３０・・・第３の各種情報記憶部、１３１・・・基本画面表示処理部（プログラム）、１３２・・・時間軸変更入力処理部（プログラム）、１３３・・・イベント表示軸動作処理部（プログラム）、１３４・・・表示情報選択処理部（プログラム）、１３５・・・イベント表示軸内容選択処理部（プログラム）、１４０・・・第４の各種情報記憶部、１４１・・・メモ入力処理部（プログラム）、１４２・・・メモ情報記憶部、１４３・・・計算式入力計算処理部（プログラム）、１４４・・・計算式データ記憶部、１４５・・・計算後データ記憶部、１４６・・・閾値表示希望表示処理部（プログラム）、１４７・・・閾値表示希望情報記憶部、Ｍ・・・メモ情報、２２１・・・酸素飽和度情報記億部、２２２・・・ヘマトクリット情報記憶部、２２３・・・ヘモグロビン情報記憶部、２２５・・・酸素分圧情報記憶部、Ｐ・・・患者、Ｓ・・・イベント表示軸
【図１】
2019026846.tif 000003
【図２】
2019026846.tif 000004
【図３】
2019026846.tif 000005
【図４】
2019026846.tif 000006
【図５】
2019026846.tif 000007
【図６】
2019026846.tif 000008
【図７】
2019026846.tif 000009
【図８】
2019026846.tif 000010
【図９】
2019026846.tif 000011
【図１０】
2019026846.tif 000012
【図１１】
2019026846.tif 000013
【図１２】
2019026846.tif 000014
【図１３】
2019026846.tif 000015
【図１４】
2019026846.tif 000016
【図１５】
2019026846.tif 000017
【図１６】
2019026846.tif 000018
【図１７】
2019026846.tif 000019
【図１８】
2019026846.tif 000020
【図１９】
2019026846.tif 000021
【国際調査報告】
2019026846.tif 000022
2019026846.tif 000023
2019026846.tif 000024